(57)【要約】【課題】筆記具から意図せず外れることのないように確実に装着することができ、さらに、筆記具への装着及び筆記具からの取り外しを容易に行うことができる筆記具キャップを提供する。【解決手段】本発明に係る筆記具キャップは、外筒１１と、外筒１１に挿入され、外筒１１の内側でスライド可能な内筒１２を備え、内筒１２がその先端部に押圧部１３を備えると共に、その後端部に締め付け部１４を備える。筆記具３が締め付け部１４に挿入された状態で、内筒１２が外筒１１に対して先端側へスライドすると、外筒１１が締め付け部１４を締め付けることで、締め付け部１４が筆記具３を締め付けて保持すると共に、押圧部１３が外筒１１の先端から突出する。更に、押圧部１３が押圧されると、内筒１２が外筒１１に対して後端側にスライドすることで、筆記具３の締め付けが解除される。【選択図】図１
2014218020.tif 000002
【特許請求の範囲】
【請求項１】
筆記具が挿入されるように構成された筆記具キャップであって、
外筒と、前記外筒に挿入され、前記外筒の内側でスライド可能な内筒とを備え、
前記内筒がその先端部に押圧部を備えると共に、その後端部に締め付け部を備え、
前記筆記具が前記締め付け部に挿入された状態で、前記内筒が前記外筒に対して先端側へスライドすると、前記外筒が前記締め付け部を締め付けることで、前記締め付け部が前記筆記具を締め付けて保持すると共に、前記外筒の先端から前記押圧部が突出し、
この状態から、前記押圧部が押圧されると、前記内筒が前記外筒に対して後端側にスライドすることで、前記筆記具の締め付けが解除されるように構成されていることを特徴とする筆記具キャップ。
【請求項２】
前記締め付け部が前記筆記具を締め付けて保持している状態での、前記外筒の先端からの前記押圧部の突出寸法が０ｍｍより大きく２０ｍｍ以下の範囲内であることを特徴とする請求項１に記載の筆記具キャップ。
【請求項３】
前記外筒が手で把持されている状態で、前記締め付け部に前記筆記具が挿入されると共に、前記筆記具が前記内筒を前記外筒に対して先端側へと押し込むと、前記外筒が前記締め付け部を窄めることで、前記締め付け部が前記筆記具を締め付けて保持するように構成されることを特徴とする請求項１又は２に記載の筆記具キャップ。
【請求項４】
筆記具が挿入されるように構成された筆記具ホルダーであって、
外筒と、前記外筒に挿入され、前記外筒の内側でスライド可能な内筒とを備え、
前記内筒がその先端部に押圧部を備えると共に、その後端部に締め付け部を備え、
前記筆記具が前記締め付け部に挿入された状態で、前記内筒が前記外筒に対して先端側へスライドすると、前記外筒が前記締め付け部を締め付けることで、前記締め付け部が前記筆記具を締め付けて保持すると共に、前記外筒の先端から前記押圧部が突出し、
この状態から、前記押圧部が押圧されると、前記内筒が前記外筒に対して後端側にスライドすることで、前記筆記具の締め付けが解除されるように構成されていることを特徴とする筆記具ホルダー。
【発明の詳細な説明】
【技術分野】
【０００１】
本発明は、筆記具に装着される筆記具キャップ又は筆記具ホルダーに関するものである。
【背景技術】
【０００２】
従来より、筆記具キャップは、鉛筆等の筆記具の先端を保護すると共に、筆記具の先端で、身体等を傷つけることを防止するために、筆記具の先端部に被せて使用される。また、キャップを筆記具に装着した際、キャップが容易に外れないように、鉛筆用キャップの後半部分、又は、鉛筆用キャップの全体に亘ってスリットを設けることが行われている（特開２００７−４５０９０号公報）。この場合、鉛筆用キャップに鉛筆を挿入することでスリットが押し広げられ、このスリットの復元力（弾性作用）により、キャップが鉛筆から容易に外れないようにしている。
【先行技術文献】
【特許文献】
【０００３】
【特許文献１】特開２００７−４５０９０号公報
【発明の概要】
【発明が解決しようとする課題】
【０００４】
しかし、キャップに設けれらたスリットの復元力で、キャップを筆記具に装着して保持する場合、キャップが容易に外れないようにするために、スリットの弾性作用を強くし過ぎると、筆記具からキャップを取り外すことが困難となり、さらに、筆記具が損傷することがあった。また、筆記具からキャップを取り外し易すいようにするために、スリットの弾性作用を弱くし過ぎると、キャップが意図せず外れてしまうことがあった。
【０００５】
また、短くなった鉛筆等の筆記具を握りやすくするために、筆記具に筆記具ホルダーを装着することがあるが、この筆記具ホルダーについても、筆記具キャップと同じ問題がある。
【０００６】
本発明は上記の点に鑑みてなされたものであり、筆記具から意図せず外れることのないように確実に装着することができ、さらに、筆記具への装着及び筆記具からの取り外しを容易に行うことができる筆記具キャップ及び筆記具ホルダーを提供することを目的とするものである。
【課題を解決するための手段】
【０００７】
本発明に係る筆記具キャップは、外筒と、前記外筒に挿入され、前記外筒の内側でスライド可能な内筒を備え、前記内筒がその先端部に押圧部を備えると共に、その後端部に締め付け部を備え、前記筆記具が前記締め付け部に挿入された状態で、前記内筒が前記外筒に対して先端側へスライドすると、前記外筒が前記締め付け部を締め付けることで、前記締め付け部が前記筆記具を締め付けて保持すると共に、前記外筒の先端から前記押圧部が突出し、この状態から、前記押圧部が押圧されると、前記内筒が前記外筒に対して後端側にスライドすることで、前記筆記具の締め付けが解除されるように構成されていることを特徴とするものである。
【０００８】
本発明にあっては、前記締め付け部が前記筆記具を締め付けて保持している状態での、前記外筒の先端からの前記押圧部の突出寸法が０ｍｍより大きく２０ｍｍ以下の範囲内であることが好ましい。
【０００９】
本発明にあっては、前記外筒が手で把持されている状態で、前記締め付け部に前記筆記具が挿入されると共に、前記筆記具が前記内筒を前記外筒に対して先端側へと押し込むと、前記外筒が前記締め付け部を窄めることで、前記締め付け部が前記筆記具を締め付けて保持するように構成されることが好ましい。
【００１０】
本発明に係る筆記具ホルダーは、外筒と、前記外筒に挿入され、前記外筒の内側をスライド可能な内筒を備え、前記内筒がその先端部に押圧部を備えると共に、その後端部に締め付け部を備え、前記筆記具が前記締め付け部に挿入された状態で、前記内筒が前記外筒に対して先端側へスライドすると、前記外筒が前記締め付け部を締め付けることで、前記締め付け部が前記筆記具を締め付けて保持すると共に、前記外筒の先端から前記押圧部が突出し、この状態から、前記押圧部が押圧されると、前記内筒が前記外筒に対して後端側にスライドすることで、前記筆記具の締め付けが解除されるように構成されていることを特徴とするものである。
【発明の効果】
【００１１】
本発明の筆記具キャップは、筆記具が締め付け部に挿入された状態で、内筒が外筒に対して先端側へスライドされると、筆記具に強固且つ容易に装着される。
【００１２】
また、キャップが筆記具に装着された状態で、押圧部が押圧されると、筆記具への締め付けが解除されるため、容易に筆記具から取り外される。
【００１３】
本発明の筆記具ホルダーは、筆記具が締め付け部に挿入された状態で、内筒が外筒に対して先端側へスライドされると、筆記具に強固且つ容易に装着される。
【００１４】
また、ホルダーが筆記具に装着された状態で、押圧部が押圧されると、筆記具への締め付けが解除されるため、容易に筆記具から取り外される。
【図面の簡単な説明】
【００１５】
【図１】本発明の筆記具キャップを筆記具に装着した状態を示す断面図である。
【図２】本発明の筆記具キャップの一実施形態を示す斜視図である。
【図３】図２に示した筆記具キャップの外筒の斜視図である。
【図４】図２に示した筆記具キャップの内筒の斜視図である。
【図５】図２に示した筆記具キャップの内筒が保持位置にある状態を示す断面図である。
【図６】図２に示した筆記具キャップの内筒が解除位置にある状態を示す断面図である。
【図７】本発明の筆記具ホルダーの一実施形態を示す斜視図である。
【発明を実施するための形態】
【００１６】
本発明に係る筆記具キャップ１は、筆記具３が挿入されるように構成されている（図1参照）。筆記具３としては、例えば、鉛筆が挙げられる。この筆記具キャップ１は、外筒１１と、外筒１１に挿入され、外筒１１の内側をスライド可能な内筒１２を備える。内筒１２がその先端部に押圧部１３を備えると共に、その後端部に筆記具３を締め付けるための締め付け部１４を備える。
【００１７】
本発明では、筆記具３が締め付け部１４に挿入された状態で、内筒１２が外筒１１に対して先端側へスライドすると、締め付け部１４が筆記具３を締め付けると共に、押圧部１３が外筒１１の先端から突出する。これにより、筆記具キャップ１が筆記具３に強固且つ容易に装着される。
【００１８】
また、筆記具３に筆記具キャップ１が装着された状態で、押圧部１３が押圧されると、筆記具３への締め付けが解除される。これにより、筆記具キャップ１が容易に筆記具３から取り外される。
【００１９】
また、筆記具３に筆記具キャップ１が強固に装着されるため、筆記具キャップ１が意図せず外れることが起こりにくい。また、筆記具キャップ１による筆記具３への締め付けを容易に解除することができるため、筆記具キャップ１によって筆記具３が損傷しにくい。
【００２０】
以下、本発明を実施するための形態を、図２〜６を用いて説明する。
【００２１】
本実施形態の筆記具キャップ１は、外筒１１と内筒１２とを備える（図２参照）。
【００２２】
外筒１１は、筒状の部材である。外筒１１は、その先端に、この外筒１１の内部に連通する開口１１１を備える。さらに、外筒１１は、その後端に、この外筒１１の内部に連通する開口１１２を備える。さらに、外筒１１の後端部が、絞り部１１３を構成する（図３参照）。
【００２３】
外筒１１の材料として、例えば合成樹脂を用いることができる。尚、外筒１１の材料は合成樹脂に限られず、熱可塑性エラストマー、金属、及び木材であってもよい。
【００２４】
本実施の形態において、外筒１１の外周面には、外筒１１の軸方向に沿う平面部１１４が形成される。この平面部１１４により、筆記具キャップ１の転がりが防止される。
【００２５】
内筒１２は、筒状の部材である。内筒１２は、その後端に、この内筒１２の内部に連通する開口１２３を備える（図４参照）。
【００２６】
内筒１２は、押圧部１３、基部１２１、過挿入防止部１２２、及び締め付け部１４で構成される。これらの押圧部１３、基部１２１、過挿入防止部１２２、及び締め付け部１４は、内筒１２の先端から後端にかけて、順次設けられている。
【００２７】
内筒１２の先端部が、押圧部１３を構成する。本実施の形態において、押圧部１３には、ストッパー１３１が形成される。ストッパー１３１は、押圧部１３の先端の外周から突出している。ストッパー１３１の外径は、開口１１１の内径よりも大きく形成される。
【００２８】
基部１２１は、全体に亘って一定の外径を有する。本実施の形態において、基部１２１には、ストッパー１３２が形成される。ストッパー１３２は、基部１２１の中ほどに設けられ、基部１２１の外周面から突出している。ストッパー１３２の外径は、開口１１１の内径よりも大きく形成される。
【００２９】
過挿入防止部１２２は、内筒１２の中ほどに設けられる。過挿入防止部１２２の内径は、内筒１２の後端に向かって連続的に大きくなるように形成されている。
【００３０】
締め付け部１４は、内筒１２の後端部に設けられる。締め付け部１４の外径は、内筒１２の後端に向かって連続的に大きくなるように形成されている。この外径の変化の割合は、過挿入防止部１２２の外径の変化の割合よりも小さい。本実施の形態において、締め付け部１４には、軸方向に沿うスリット１４１が形成される。スリット１４１は、一本でも、複数でもよい。
【００３１】
本実施の形態において、押圧部１３は、内筒１２の内部に連通する空気孔１３３を備える。空気孔１３３は、子供等が、筆記具キャップ１を誤飲した場合の、空気の流通孔として機能する。
【００３２】
内筒１２の材料として、例えば、合成樹脂を用いることができる。尚、内筒１２の材料は合成樹脂に限られず、熱可塑性エラストマー、金属、及び木材であってもよい。
【００３３】
外筒１１の内側には、内筒１２が挿入される。内筒１２は、保持位置と解除位置との間で、外筒１１に対して軸方向にスライド可能である。内筒１２が保持位置にあるときは、筆記具キャップ１が筆記具３を保持することができる（図５参照）。内筒１２が解除位置にあるときは、筆記具キャップ１による筆記具３の保持が解除される。
【００３４】
保持位置においては、開口１１１から押圧部１３が突出し、絞り部１１３と締め付け部１４とが重なっている。
【００３５】
解除位置は、保持位置から、内筒１２が外筒１１の後端側にスライドして外筒１１に対して後端側に変位した位置である（図６参照）。解除位置では、締め付け部１４が絞り部１１３よりも後端側に配置され、ストッパー１３１が開口１１１の淵に当接している。この時、ストッパー１３１の外径が、開口１１１の内径よりも大きいため、ストッパー１３１は開口１１１を通過せず、このため、内筒１２の抜け止めがされる。
【００３６】
使用者が、筆記具３に筆記具キャップ１を装着する際、内筒１２が解除位置にある状態で、使用者は外筒１１を手で把持しながら、開口１２３から締め付け部１４へ筆記具３を挿入する。そうすると、筆記具３の先端に過挿入防止部１２２が接触する。解除位置では、締め付け部１４の内径は筆記具の外径よりも大きいことが好ましい。この場合、筆記具が締め付け部１４に対してスムーズに挿入される。更に、使用者が筆記具３を押し込むと、筆記具３が内筒１２を外筒１１に対して先端側へと押し込む。この時、筆記具３は過挿入防止部１２２に当接しているため、内筒１２に対しては、移動しない。これによって、内筒１２が、外筒１１に対してスライドして、保持位置に配置される。そうすると、絞り部１１３が締め付け部１４と重なることで、締め付け部１４の外面を押圧する。これにより、スリット１４１が閉じられて、締め付け部１４の内径が窄められる。これにより、締め付け部１４が筆記具３を締め付けて保持する。
【００３７】
この時、過挿入防止部１２２は、筆記具３が過挿入防止部１２２より先に挿入されることを防ぎ、筆記具３の過挿入による筆記具３や筆記具キャップ１の損傷を防ぐことができる。
【００３８】
また、使用者が内筒１２を外筒１１の先端側へと押し込み過ぎたとしても、ストッパー１３２が開口１１１の淵に当接し、内筒１２の抜け止めがされる。内筒１２の抜け止め効果は、ストッパー１３２の外径が開口１１１の内径よりも大きく、ストッパー１３２が外筒１１を通過しないことによる。
【００３９】
このように、本実施の形態の筆記具キャップ１が用いられると、使用者が筆記具キャップ１に筆記具３を挿入するだけで、筆記具３を内筒１２に容易に挿入することができ、続いて、内筒１２が外筒１１に対してスライドすることで、筆記具３を締め付け部１４で締め付けて、保持することができる。つまり、筆記具への装着容易性と、強固な装着とを両立するものである。
【００４０】
一方、使用者が、筆記具３から筆記具キャップ１を取り外す際、内筒１２が保持位置にある状態で、外筒１１を把持しながら、押圧部１３を押圧する。そうすると、内筒１２が外筒１１に対して後端側へスライドし、内筒１２は解除位置に配置される。この時、締め付け部１４が絞り部１１３よりも外筒１１に対して後端側に変位することで、絞り部１１３による、締め付け部１４への押圧が解かれる。これにより、スリット１４１が開かれて、締め付け部１４の内径が広げられる。これにより、締め付け部１４による筆記具３の締め付け・保持が解除される。このため、筆記具３から、筆記具キャップ１がスムーズに取り外せる。
【００４１】
このように本実施の形態の筆記具キャップ１は、使用者が押圧部１３を押圧するだけで、筆記具３の締め付けが解除される。つまり、締め付けの解除が容易であり、筆記具キャップ１がスムーズに取り外され、筆記具３が損傷しにくい。
【００４２】
本実施形態の筆記具キャップ１では、内筒１２が保持位置にある時の、開口１１１から突出した押圧部１３の突出寸法が、０ｍｍより大きく２０ｍｍ以下の範囲内であることが好ましい。この突出寸法は、３〜２０ｍｍの範囲内であればより好ましく、特に、５〜１５ｍｍの範囲内であることが好ましい。押圧部１３の突出寸法が３ｍｍ以上であると、筆記具キャップ１によって筆記具３が保持されている状態か、筆記具３の保持が解除されている状態かを、使用者が一目で確認することができる。押圧部１３の突出寸法が２０ｍｍ以下であると、筆記具キャップ１の装着を解除する際に、使用者が外筒１１を手で把持した状態で、同じ手で押圧部１３を容易に押圧することができる。また、使用者が外筒１１を手で把持した状態で、同じ手で押圧部１３を押圧する際に、押圧部１３に対して容易に力をかけることができる。
【００４３】
本実施形態の筆記具キャップ１では、外筒１１の長さが、３０〜６０ｍｍの範囲内であることが好ましい。外筒１１の長さが３０ｍｍ以上であると、外筒１１を手で把持しやすい。外筒１１の長さが６０ｍｍ以下であると、筆記具キャップの装着時に筆記や収納の妨げとなりにくい。
【００４４】
本実施の形態では、締め付け部１４にスリット１４１が設けられているが、締め付け部１４は、外筒１１で締め付けられることで、筆記具３を締め付けるように構成されているならば、スリットが設けられることに限られない。例えば、締め付け部１４に爪を設けて、この爪で筆記具３を保持してもよい。また、ゴムで形成された締め付け部１４を用いて、ゴムの弾性作用により締め付け部１４の内径が窄められることで、筆記具３を保持してもよい。
【００４５】
次に、本発明に係る筆記具ホルダー２について説明する。この筆記具ホルダー２は、筆記具が挿入されるように構成されている。この筆記具ホルダー２は、外筒２１と、外筒２１に挿入され、外筒２１の内側をスライド可能な内筒２２を備え、内筒２２がその先端部に押圧部２３を備えると共に、その後端部に筆記具３を締め付けるための締め付け部２４を備える。
【００４６】
本発明では、筆記具３が締め付け部２４に挿入された状態で、内筒２２が外筒２１に対して先端側へスライドすると、外筒２１が締め付け部２４を締め付けることで、締め付け部２４が筆記具３を締め付けて保持すると共に、外筒２１の先端から押圧部２３が突出する。これにより、筆記具ホルダー２が筆記具３に強固且つ容易に装着される。
【００４７】
また、筆記具３に筆記具ホルダー２が装着された状態で、押圧部２３が押圧されると、内筒２２が外筒２１に対して後端側にスライドすることで、筆記具３の締め付けが解除される。これにより、筆記具ホルダー２が容易に筆記具３から取り外される。
【００４８】
また、筆記具３に筆記具ホルダー２が装着された状態で、押圧部２３が押圧されると、筆記具３への締め付けが解除される。これにより、容易に筆記具３から取り外される。
【００４９】
また、筆記具３に筆記具ホルダー２が強固に装着されるため、筆記具ホルダー２が意図せず外れることが起こりにくい。また、筆記具ホルダー２による筆記具３への締め付けを容易に解除することができるため、筆記具ホルダー２によって筆記具３が損傷しにくい。
【００５０】
以下、本発明を実施するための形態を説明する（図７参照）。
【００５１】
本実施形態の筆記具ホルダー２は、外筒２１と内筒２２とを備える。
【００５２】
外筒２１は、筒状の部材である。筆記具キャップ１と同様に、外筒２１は、その先端に、この外筒２１の内部に連通する開口を備える。さらに、外筒２１は、その後端に、この外筒２１の内部に連通する開口を備える。さらに、外筒２１の後端部が、絞り部２５を構成する。
【００５３】
外筒２１の材料として、例えば合成樹脂を用いることができる。尚、外筒２１の材料は合成樹脂に限られず、熱可塑性エラストマー、金属、及び木材であってもよい。
【００５４】
本実施の形態において、外筒２１は、その軸方向に沿う平面部２１１が形成される。平面部２１１により、筆記具ホルダー２の転がりが防止される。
【００５５】
内筒２２は、筒状の部材である。筆記具キャップ１と同様に、内筒２２は、その後端に、この内筒２２の内部に連通する開口を備える。
【００５６】
筆記具キャップ１と同様に、内筒２２は、押圧部２３、基部、過挿入防止部、及び締め付け部２４で構成される。これらの押圧部２３、基部、過挿入防止部、及び締め付け部２４は、内筒２２の先端から後端にかけて、順次設けられている。
【００５７】
内筒２２の先端部が、押圧部２３を構成する。押圧部２３には、ストッパー２３１が形成される。ストッパー２３１は、押圧部２３の先端の外周から突出している。ストッパー２３１の外径は、外筒２１先端の開口の内径よりも大きく形成される。
【００５８】
内筒２２の基部は、全体に亘って一定の外径を有する。筆記具キャップ１と同様に、基部には、ストッパーが形成される。基部のストッパーは基部の外周から突出している。基部のストッパーの外径は、外筒２１先端の開口の内径よりも大きく形成される。
【００５９】
筆記具キャップ１と同様に、過挿入防止部は、基部と締め付け部２４の間に設けられる。過挿入防止部の内径は、内筒２２の後端に向かって連続的に大きくなるように形成されている。
【００６０】
締め付け部２４は、内筒２２の後端部に設けられる。締め付け部２４の外径は、内筒２２の後端に向かって連続的に大きくなるように形成されている。筆記具キャップ１と同様に、締め付け部２４には、軸方向に沿うスリットが形成される。締め付け部２４に形成されるスリットは、一本でも、複数でもよい。
【００６１】
筆記具キャップ１と同様に、押圧部２３は、内筒２２の内部に連通する空気孔を備えてもよい。この空気孔は、子供等が、筆記具ホルダー２を誤飲した場合の、空気の流通孔として機能する。
【００６２】
内筒２２の材料として、例えば、合成樹脂を用いることができる。尚、内筒２２の材料は合成樹脂に限られず、熱可塑性エラストマー、金属、及び木材であってもよい。
【００６３】
外筒２１の内側には、内筒２２が挿入される。内筒２２は、保持位置と解除位置との間で、外筒２１に対して軸方向にスライド可能である。内筒２２が保持位置にあるときは、筆記具ホルダー２が筆記具３を保持することができる。内筒２２が解除位置にあるときは、筆記具ホルダー２による筆記具３の保持が解除される。
【００６４】
保持位置においては、外筒２１先端の開口から押圧部２３が突出し、絞り部２５と締め付け部２４とが重なっている。
【００６５】
解除位置は、保持位置から、内筒２２が外筒２１の後端側にスライドして外筒２１に対して後端側に変位した位置である。解除位置では、締め付け部２４が絞り部２５よりも後端側に配置され、外筒２１先端の開口の淵に当接している。この時、ストッパー２３１の外径が、外筒２１先端の開口の内径よりも大きいため、ストッパー２３１は外筒２１先端の開口を通過せず、このため、内筒２２の抜け止めがされる。
【００６６】
使用者が、筆記具３に筆記具ホルダー２を装着する際、内筒２２が解除位置にある状態で、使用者は外筒２１を手で把持しながら、内筒２２後端の開口から締め付け部２４へ筆記具３を挿入する。そうすると、筆記具キャップ１と同様に、筆記具３の先端に過挿入防止部が接触する。解除位置では、締め付け部２４の内径は筆記具３の外径よりも大きいことが好ましい。この場合、筆記具３が締め付け部２４へ、スムーズに挿入される。更に、使用者が筆記具３を押し込むと、筆記具３が内筒２２を外筒２１に対して先端側へと押し込む。この時、筆記具３は過挿入防止部に当接しているため、内筒２２に対しては、移動しない。これによって、内筒２２が外筒２１に対してスライドして、保持位置に配置される。そうすると、絞り部２５が締め付け部２４と重なることで、締め付け部２４の外面を押圧する。これにより、締め付け部に形成されたスリットが閉じられて、締め付け部２４の内径が窄められる。これにより、締め付け部２４が筆記具３を締め付けて保持する。
【００６７】
この時、過挿入防止部は、筆記具３が過挿入防止部より先に挿入されることを防ぎ、筆記具３の過挿入による筆記具３や筆記具ホルダー２の損傷を防ぐことができる。
【００６８】
また、使用者が内筒２２を外筒２１の先端側へと押し込み過ぎたとしても、基部に設けられたストッパーが外筒２１先端の開口の淵に当接し、内筒２２の抜け止めがされる。内筒２２の抜け止め効果は、基部に設けられたストッパーの外径が外筒２１先端の開口の内径よりも大きく、ストッパーが外筒２１先端の開口を通過しないことによる。
【００６９】
このように、本実施の形態の筆記具ホルダー２が用いられると、使用者が筆記具ホルダー２に筆記具３を挿入するだけで、筆記具３を内筒２２に容易に挿入することができ、続いて、内筒２２が外筒２１に対してスライドすることで、筆記具３を締め付け部２４で締め付けて、保持することができる。つまり、筆記具３への装着容易性と、強固な装着とを両立するものである。
【００７０】
一方、使用者が、筆記具３から筆記具ホルダー２を取り外す際、内筒２２が保持位置にある状態で、外筒２１を把持しながら、押圧部２３を押圧する。そうすると、内筒２２が外筒２２に対して後端側へスライドし、内筒２２は解除位置に配置される。この時、締め付け部２４が絞り部２５よりも外筒２１に対して後端側に変位することで、絞り部２５による、締め付け部２４への押圧が解かれる。これにより、締め付け部２４に形成されたスリットが開かれて、締め付け部２４の内径が広げられる。これにより、締め付け部２４による筆記具３の締め付け・保持が解除される。このため、筆記具３から、筆記具ホルダー２はスムーズに取り外せる。
【００７１】
このように、本実施の形態の筆記具ホルダー２は、使用者が押圧部２３を押圧するだけで、筆記具３の締め付けが解除される。つまり、締め付けの解除が容易であり、筆記具ホルダー２がスムーズに取り外され、筆記具３が損傷しにくい。
【００７２】
本実施形態の筆記具ホルダー２では、内筒２２が保持位置にある時の、外筒２１先端の開口から突出した押圧部２３の突出寸法が、０ｍｍより大きく２０ｍｍ以下の範囲内であることが好ましい。この突出寸法は、３〜２０ｍｍの範囲内であればより好ましく、特に、５〜１５ｍｍの範囲内であることが好ましい。押圧部２３の突出寸法が３ｍｍ以上であると、筆記具ホルダー２によって筆記具３が保持されている状態か、筆記具３の保持が解除されている状態かを、使用者が一目で確認することができる。押圧部２３の突出寸法が２０ｍｍ以下であると、筆記具ホルダー２の装着を解除する際に、使用者が外筒２１を手で把持した状態で、同じ手で押圧部２３を容易に押圧することができる。また、使用者が外筒２１を手で把持した状態で、同じ手で押圧部２３を押圧する際に、押圧部２３に対して容易に力をかけることができる。
【００７３】
本実施形態の筆記具ホルダー２では、外筒２１の長さが、７０〜１００ｍｍの範囲内であることが好ましい。外筒２１の長さが７０ｍｍ以上であると、外筒２１を手で把持しやすい。外筒２１の長さが１００ｍｍ以下であると、筆記具ホルダー２の装着時に筆記や収納の妨げとならない。
【００７４】
本実施の形態では、締め付け部２４にスリットが設けられているが、締め付け部２４は、外筒２１で締め付けられることで、筆記具３を締め付けるように構成されているならば、スリットが設けられることに限られない。例えば、締め付け部２４に爪を設けて、この爪で筆記具３を保持してもよい。また、ゴムで形成された締め付け部２４を用いて、ゴムの弾性作用により締め付け部２４の内径が窄められることで、筆記具３を保持してもよい。
【符号の説明】
【００７５】
１  筆記具キャップ
２  筆記具ホルダー
３  筆記具
１１  外筒
１１１  開口
１１２  開口
１１３  絞り部
１１４  平面部
１２  内筒
１２１  基部
１２２  過挿入防止部
１２３  開口
１３  押圧部
１３１  ストッパー
１３２  ストッパー
１３３  空気孔
１４  締め付け部
１４１  スリット
２１  外筒
２１１  平面部
２２  内筒
２３  押圧部
２３１  ストッパー
２４  締め付け部
２５  絞り部
【図１】
2014218020.tif 000003
【図２】
2014218020.tif 000004
【図３】
2014218020.tif 000005
【図４】
2014218020.tif 000006
【図５】
2014218020.tif 000007
【図６】
2014218020.tif 000008
【図７】
2014218020.tif 000009